(57)【要約】【課題】差込み式印字体用の収納ケースにおいて、ケース内に収容される差込み式印字体のセットが複数種ある場合でも、セット内容の違いとは無関係にケース本体と蓋体とが共用できるようにして、収納ケースの製造コストの低減化を図る。【解決手段】ケース本体１と、着脱可能な蓋体２と、印字体Ｓを収容保持する整理枠３とを有する。ケース本体１には、差込み式の印字体Ｓを収容する第１区画Ａ１と、ピンセット７を収容する第２区画Ａ２とが区画形成されている。印字体Ｓのサイズや組み合わせの違いに応じて複数種の整理枠３を予め用意しておき、印字体Ｓのセット内容の違いに応じた整理枠３を択一的にケース本体１に装着することにより、ケース本体１と蓋体２とを共用する。【選択図】図１
2007015200.tif 000002
【特許請求の範囲】
【請求項１】
ケース内に差込み式の印字体（Ｓ）を収容する第１区画（Ａ１）と、ピンセット（７）を収容する第２区画（Ａ２）とを備えている収納ケースであって、
第１区画（Ａ１）および第２区画（Ａ２）が形成されたケース本体（１）と、ケース本体（１）に着脱可能に装着される蓋体（２）と、ケース本体１の第１区画（Ａ１）に装填されて差込み式の印字体（Ｓ）を整列状態で収容保持する整理枠（３）とを含み、
予め用意された複数種の整理枠（３）が、差込み式印字体（Ｓ）のセット内容の違いに応じて択一的にケース本体（１）に装着できることを特徴とする差込み式印字体の収納ケース。
【請求項２】
四角箱状に形成されたプラスチック製のケース本体（１）と、ケース本体（１）と同形状に形成されたプラスチック製の蓋体（２）との間に、蓋体（２）を閉じ状態に保持するロック手段が設けられており、
ロック手段が、ケース本体（１）の周側壁（８）の対向内面に形成された一対のロック係合部（１１）と、ロック係合部（１１）に対応して蓋体（２）側に設けられて弾性変形可能なロック爪（１２）とを含み、
ロック爪（１２）が、蓋体（２）の上壁に連続する下向きの爪支持壁（１７）を介して蓋体（２）に一体に成形されている請求項１記載の差込み式印字体の収納ケース。
【請求項３】
ケース本体（１）の内部に、第１区画（Ａ１）と第２区画（Ａ２）とを区分する区分壁（６）が形成されており、
ケース本体（１）の第２区画（Ａ２）の一側寄りには、区分壁（６）と協同してピンセット（７）の中途部を押圧保持する挟持壁（２０）が設けられ、第２区画（Ａ２）の他側寄りには、ピンセット（７）の屈曲基部を受け入れる摘み部（２２）が設けられており、
摘み部（２２）に臨むケース本体（１）の周側壁（８）と区分壁（６）とに、それぞれ切欠（２３）が形成され、区分壁（６）側の切欠（２３）に臨む整理枠（３）に、指先を受け入れる摘み凹部（３１）が区画形成されている請求項１または２記載の差込み式印字体の収納ケース。
【請求項４】
整理枠（３）が、第１区画（Ａ１）の周壁に沿うよう形成された周囲枠（２６）と、周囲枠（２６）の内部を平行に仕切る複数の仕切り枠（２７）とを含み、
仕切り枠（２７）の下面と、ケース本体（１）の底壁との間にインク吸蔵マット（４）が配されている請求項１または２または３記載の差込み式印字体の収納ケース。
【請求項５】
摘み部（２２）に、ピンセット（７）の屈曲基部側を受け止める突起（２４）が形成されており、
ピンセット（１７）の屈曲基部側が、摘み部（２２）の底壁から浮き離れる状態で、ピンセット（７）を第２区画（Ａ２）に収納できるようにした請求項３記載の差込み式印字体の収納ケース。
【請求項６】
ケース本体（１）の周側壁（８）に形成した切欠（２３）が、蓋体（２）に形成した舌片（２５）で塞がれている請求項３記載の差込み式印字体の収納ケース。
【発明の詳細な説明】
【技術分野】
【０００１】
本発明は、差込み印に装填される印字体を収容するためのケースに関する。ケースの内部には、年、月、日などの数字を印字するための数用印字体、あるいはアルファベットや記号などの文字列を印字するための文字用印字体と、これらの印字体をケースに出し入れするためのピンセットとが収容されるものである。
【背景技術】
【０００２】
差込み印と、差込み式印字体のセット、ピンセット、およびこれらを収容するケースとで構成される差込み印セットは、いくつかの印判メーカーから市販されている。また、本発明に関連する先行技術として特許文献１、２がある。特許文献１の差込み印セットにおいては、ケースが本体部分と、本体部分を揺動開閉する蓋部分とで構成してあり、ケース内部に差込み印を収容する区画と、インクを吸蔵したスポンジを収容する区画とが形成されている。差込み印は、横長箱枠状のホルダと、ホルダに横一列状に装填される多数個の印字体とで構成してあり、電子メールのメールアドレスを印字することができる。特許文献２のケースには、差込み式印字体のセットと、ピンセットなどを収容する区画が形成されている。
【０００３】
【特許文献１】特開２００１−２６０５１０号公報（段落番号００１７、図５）
【特許文献２】意匠登録第３８５５３８号公報（使用状態の参考斜視図）
【発明の開示】
【発明が解決しようとする課題】
【０００４】
本発明の目的は、差込み式印字体とピンセットとを収容する収納ケースにおいて、ケース構造を改良することにより、ケース内に収容される差込み式印字体のセットが複数種ある場合でも、セット内容の違いとは無関係にケース本体と蓋体とを兼用でき、したがって差込み式印字体の収納ケースをより低コストで提供できるようにすることにある。
【０００５】
本発明の目的は、ケース全体の使い勝手を向上することにある。具体的には、ケース本体に装着の蓋体を閉じロックするロック構造を改良して、蓋体の開閉を簡便化する。ケース本体に対するピンセットの出し入れ時に指先が汚れるのを確実に防止しながら、ピンセットの出し入れを簡便化する。収容区画の構造を改良して、ケース内に収容した差込み式印字体のインク枯れを防止する。同時に、差込み式印字体に含まれる余分なインクを除去して、常に適度のインクが吸蔵された状態で差込み式印字体を保存することにある。
【課題を解決するための手段】
【０００６】
本発明の収納ケースは、ケース内に差込み式の印字体Ｓを収容する第１区画Ａ１と、ピンセット７を収容する第２区画Ａ２とを備えている。収納ケースは、第１区画Ａ１および第２区画Ａ２が形成されたケース本体１と、ケース本体１に着脱可能に装着される蓋体２と、ケース本体１の第１区画Ａ１に装填されて差込み式の印字体Ｓを整列状態で収容保持する整理枠３とを含む。以て、予め用意した複数種の整理枠３が、差込み式印字体Ｓのセット内容の違いに応じて択一的にケース本体１に装着できるようにしたことを特徴とする。
【０００７】
四角箱状に形成されたプラスチック製のケース本体１と、ケース本体１と同形状に形成されたプラスチック製の蓋体２との間には、蓋体２を閉じ状態に保持するロック手段が設けられている。このロック手段は、ケース本体１の周側壁８の対向内面に形成された一対のロック係合部１１と、ロック係合部１１に対応して蓋体２側に設けられて弾性変形可能なロック爪１２とを含む。図３に示すようにロック爪１２は、蓋体２の上壁に連続する下向きの爪支持壁１７を介して蓋体２に一体成形されている。
【０００８】
ケース本体１の内部には、第１区画Ａ１と第２区画Ａ２とを区分する区分壁６が形成されている。ケース本体１の第２区画Ａ２の一側寄りには、区分壁６と協同してピンセット７の中途部を押圧保持する挟持壁２０が設けられており、第２区画Ａ２の他側寄りには、ピンセット７の屈曲基部を受け入れる摘み部２２が設けられている。摘み部２２に臨むケース本体１の周側壁８と区分壁６とには、それぞれ切欠２３を形成してあり、区分壁６側の切欠２３に臨む整理枠３に、指先を受け入れる摘み凹部３１が区画形成されている。
【０００９】
整理枠３は、第１区画Ａ１の周壁に沿うよう形成された周囲枠２６と、周囲枠２６の内部を平行に仕切る複数の仕切り枠２７とを含み、仕切り枠２７の下面と、ケース本体１の底壁との間にインク吸蔵マット４が配されている。
【００１０】
摘み部２２には、ピンセット７の屈曲基部側を受け止める突起２４が形成されており、図５に示すようにピンセット７の屈曲基部側が、摘み部２２の底壁から浮離れる状態で、ピンセット７を第２区画Ａ２に収納できるようにしてある。
【００１１】
ケース本体１の周側壁８に形成した切欠２３は、蓋体２に形成した舌片２５で塞ぐことができる。
【発明の効果】
【００１２】
本発明の収納ケースは、ケース本体１と、ケース本体１に対して着脱できる蓋体２と、差込み式印字体Ｓを整列収容する整理枠３とを備え、ケース本体１の内部に整理枠３を収容する第１区画Ａ１と、ピンセット７を収容する第２区画Ａ２とを設けてある。そのうえで、予め用意した複数種の整理枠３は、差込み式印字体Ｓの組み合わせやサイズの違いなど、セット内容の違いに応じて択一的にケース本体１に装着するので、セット内容の違いとは無関係にケース本体１と蓋体２とを兼用できる。したがってセット内容の違いに応じて専用の収納ケースを用意する場合に比べて、差込み式印字体Ｓの収納ケースをより低コストで提供できる。
【００１３】
ケース本体１と蓋体２との間に蓋ロック手段が設けてあるので、収納ケースを携行する際に蓋体２が開くのを確実に防止できる。ケース本体１の周側壁８の対向内面に形成した一対のロック係合部１１と、ロック係合部１１に対応して蓋体２側に設けた弾性変形可能なロック爪１２とでロック手段を構成し、ロック爪１２は蓋体２側に一体成形してあるので、一対のロック爪１２をロック解除操作するのと同時に、その状態のままで蓋体２をケース本体１から分離できる。つまり、蓋体２を持ち替えるまでもなくケース本体１から分離できるので、蓋体２の開閉を簡便に行える。蓋体２側にロック爪１２を設けてあるので、片手のみで蓋体２を取り外せるし、ロック手段を設けることに伴う部品点数の増加がなく、その分だけ収納ケースを低コストで提供できる。
【００１４】
ケース本体１の内部に、第１区画Ａ１と第２区画Ａ２とを区分する区分壁６を形成し、第２区画Ａ２に設けた挟持壁２０と区分壁６との間に、ピンセット７を閉じた状態で収納するので、収納ケースを持ち運ぶ際にピンセット７がケース内でがた付くのをよく防止できる。さらに、第２区画Ａ２に摘み部２２を設け、摘み部２２に臨むケース本体１の周側壁８と区分壁６とのそれぞれに切欠２３を形成してあるので、区分壁６や周側壁８に邪魔されることなくピンセット７をつかみ出せ、頻繁に使用するピンセット７の出し入れが確実にしかも簡便に行える。また、区分壁６側の切欠２３に臨む整理枠３には、指先を受け入れる摘み凹部３１が区画形成されているので、ピンセット７の出し入れ時に、指先が整理枠３に収容した差込み式印字体Ｓの印字面に触れるのを防止して、指先の汚れを確実に防止できる。
【００１５】
周囲枠２６と複数の仕切り枠２７などを含んで整理枠３を構成し、仕切り枠２７の下面と、ケース本体１の底壁面との間にインク吸蔵マット４を配した収納ケースによれば、整理枠３に収容した差込み式印字体Ｓをインク吸蔵マット４で受け止めてインクを供給でき、ケース本体１に収容した差込み式印字体Ｓのインク枯れをよく防止できる。同時に、差込み式印字体Ｓに含まれる余分なインクをインク吸蔵マット４に吸い取らせて、常に適度のインクが吸蔵された状態で差込み式印字体Ｓを保存できる。因みに、差込み式印字体Ｓをケース本体１の底壁で直接に受け止める従来形式では、余分なインクがケース外へ染み出るおそれがあったが、本発明ではこの点をよく防止できる。
【００１６】
第２区画Ａ２に収納したピンセット７の屈曲基部側が、摘み部２２に設けた突起２４で受け止められるようにした収納ケースによれば、屈曲基部側が摘み部２２の底壁から浮き離れた状態でピンセット７を斜めに収納できるので、摘み部２２の上方に露出する屈曲基部側をつかむことでピンセット７を的確に取り出すことができ、ピンセット７の出し入れがさらに容易になる。
【００１７】
ケース本体１の周側壁８に形成した切欠２３を蓋体２側の舌片２５で塞ぐようにした収納ケースによれば、切欠２３から塵埃や他物がケース内に入り込むのを防止できるうえ、収納ケースの外観を簡素で端正な印象にすることができる。舌片２５を目印にして蓋体２の前後を判別できる利点もある。
【発明を実施するための最良の形態】
【００１８】
（実施例１）  図１ないし図５は本発明に係る差込み式印字体の収納ケースの実施例を示す。図１および図２において収納ケースは、上面が開口するケース本体１と、ケース本体１に着脱可能に装着される蓋体２と、ケース本体１の内部に装填される整理枠３と、インク吸蔵マット４とを有する。
【００１９】
整理枠３は、これの内部に収容する差込み式印字体Ｓのセット内容に応じて複数種が用意される。ケース本体１と蓋体２とは、差込み式印字体Ｓのセット内容とは無関係に共通して使用される。
【００２０】
差込み式印字体Ｓは、捺印用のインクを吸蔵できる多孔質ゴム製の浸透印として形成してあり、年、月、日などの数字を印字するための数字用印字体、あるいはアルファベット、記号などの文字列を印字するための文字用印字体などが該当する。使用者は印字体のサイズの違いや、両印字体の組み合わせ態様などに応じて、使用する差込み印に対応する印字セットのいずれかを選定できる。差込み式印字体Ｓは、図３に示すように印字面が上向きになる状態で整理枠３に収容する。
【００２１】
ケース本体１は、左右横長の角箱状のプラスチック成形品であり、ケース内部の前方寄りに前後の長辺部と平行な区分壁６を一体に設けて、ケース内部の大半を占める第１区画Ａ１と、前後幅が小さな第２区画Ａ２とに区画形成されている。
【００２２】
図２において第１区画Ａ１には、差込み式印字体Ｓの一群と、これらを整列状態で保持する整理枠３とが収容される。第２区画Ａ２にはピンセット７が収容される。ケース本体１の周側壁８の上半分には、蓋体２の周側壁に内嵌する開口壁９が上向きに一体突設されている。
【００２３】
蓋体２はケース本体１と同形状の下向きに開口するプラスチック成形品であり、これの周側壁が前記開口壁９に外嵌する状態でケース本体１に被せつけられる。閉じ状態の蓋体２をロック保持するために、ケース本体１と蓋体２との間にはロック手段を有する。
【００２４】
図１においてロック手段は、ケース本体１の周側壁８の前後壁部の左右方向中央部位において内面に対向するよう形成された一対のロック係合部１１と、ロック係合部１１に対応して蓋体２周側壁の前後壁部に設けられた弾性変形可能なロック爪１２とを含む。
【００２５】
ロック係合部１１は、開口壁９よりもケース外面側へ向かって膨出するよう形成されており、その内面にロック爪１２を受け入れる爪凹部１３を有し、爪凹部１３の上端にロック爪１２の係合爪１６と係合する突起１４が形成されている。
【００２６】
各ロック爪１２の上部外面には、ロック解除用の操作摘み１５を形成してあり、操作摘み１５の下方に、前記突起１４と係合する係合爪１６が一体に形成されている。
【００２７】
収納ケースの部品点数が増えるのを避けるために、各ロック爪１２は蓋体２と一体に成形した。具体的には、図３に示すようにロック爪１２よりも内側方において、蓋体２の上壁に連続する下向きの爪支持壁１７を垂直状に設け、この爪支持壁１７の下端にロック爪１２の下端を連続させることにより、ロック爪１２を蓋体２と一体に成形した。
【００２８】
ロック爪１２がロック係合部１１と係合した図３の状態においては、ロック爪１２の弾性によって係合状態が維持され、操作摘み１５がロック係合部１１の上方に位置する状態でケース外面に露出している。したがって、前後の操作摘み１５を片方の手で同時につかみ操作すると、突起１４と係合爪１６との係合状態が解除されて、その状態のままで蓋体２をケース本体１から即座に取り外すことができる。ロック爪１２は、ケース本体１の内部に入り込んだ状態でロック係合部１１と係合しているので、収納ケースの外観状態は、簡素ですっきりした印象になる。
【００２９】
先に説明したように、ピンセット７は第２区画Ａ２に収容する。この収納状態においてピンセット７が遊動するのを阻止するために、第２区画Ａ２の内部左右の一端（図では左端）寄りに、区分壁６と協同してピンセット７の中途部を押圧保持する挟持壁２０が設けられている。図２において挟持壁２０は、区分壁６と平行な壁２０ａを含む逆Ｌ字状のリブ壁からなり、先の平行な壁２０ａと区分壁６との前後の対向間隔が、自由状態におけるピンセット７の挟持腕の前後間隔より小さく寸法設定してある。
【００３０】
第２区画Ａ２に装填したピンセット７の出し入れを簡便に行うために、第２区画Ａ２の左右の他端（図では右端）寄りに、ピンセット７の屈曲基部を受け入れる摘み部２２を設ける。この摘み部２２に臨むケース本体１の周側壁８と区分壁６とには、それぞれ切欠２３・２３が形成されている。さらに、摘み部２２の底壁にピンセット７の屈曲基部側を受け止める突起２４が設けられている。
【００３１】
区分壁６および周側壁８に切欠２３・２３が形成されていると、周側壁８や区分壁６に邪魔されることなく、ピンセット７の屈曲基部寄りを親指と人差し指とで摘んで出し入れできる。第２区画Ａ２に収納したピンセット７の屈曲基部側を突起２４で受け止めることにより、図５に示すように屈曲基部側が摘み部２２の底壁から浮き離れて開口壁９の開口面よりも上方に露出するので、ピンセット７の出し入れが更に簡便に行える。
【００３２】
区分壁６側の切欠２３に臨む整理枠３には、指先を受け入れる摘み凹部３１を内凹み状に区画形成することになるが、この点は後述する。ケース本体１の周側壁８に形成した切欠２３は、蓋体２をケース本体１に装着した状態において、蓋体２の周側壁に一体形成した舌片２５で塞がれる。
【００３３】
整理枠３は、第１区画Ａ１の周壁に沿うよう形成された四角枠状の周囲枠２６と、周囲枠２６の内部を平行に仕切る５個の仕切り枠２７、仕切り枠２７の長手方向中央部分どうしを橋絡して、仕切り枠２７のたわみ変形を規制する規制枠３０とを含むプラスチック成形品であり、第１区画Ａ１に嵌め込み固定される。そのために、周囲枠２６の左右に位置する短辺部の外面の前後には、弾性変形可能な係合爪２８を一体に形成してあり、第１区画Ａ１の左右に位置する短辺部の内面には、係合爪２８に対応する係合凹部２９が形成されている（図１参照）。
【００３４】
第１区画Ａ１に整理枠３を嵌め込み固定した状態においては、仕切り枠２７の下面と、ケース本体１の底壁との間に隙間が形成される。この隙間にインク吸蔵マット４を敷設する。インク吸蔵マット４は、発泡ゴム材あるいは硬質の発泡プラスチック材で形成されていて、捺印用のインクを含浸できる。
【００３５】
インク吸蔵マット４の周側壁が第１区画Ａ１の周囲壁に接当していると、インク吸蔵マット４に含まれるインクが毛細管現象によって第１区画Ａ１の周囲壁に沿って染み出るおそれがある。こうした染み出しを防ぐために、図１に示すように第１区画Ａ１の四周壁の内面にマット受壁３５を形成し、マット受け壁３５で囲まれる空間にインク吸蔵マット４を嵌め込んでいる。
【００３６】
図４に示すように仕切り枠２７は、下すぼまり状の基枠部２７ａと、基枠部２７ａの上面に突設される幅狭のリブ壁２７ｂとからなり、隣接する仕切り枠２７の間に印字体Ｓを装填した状態において、印字体Ｓを基枠部２７ａで脱落不能に保持固定できる。したがって、蓋体２が垂直になる姿勢で収納ケースを起立収納するような場合にも、印字体Ｓが整理枠３から抜け落ちることはない。また、印字体Ｓを隣接する仕切り枠２７の間に装填する際に、含浸されていたインクが搾り出されたとしても、リブ壁２７ｂと印字体Ｓとの間の隙間にインクを流下させて再含浸させることができ、印字体Ｓの上面がインクでべたつくのを解消できる。仕切り枠２７の隣接隙間は、印字体Ｓの大きさに対応して変更される。
【００３７】
整理枠３の周囲枠２６には、前述の摘み凹部３１と逃げ部３２とが形成してある。図１、図２および図４において摘み凹部３１は、周囲枠２６の前枠部の右隅寄り部位に形成されて区分壁６側の切欠２３に臨んでおり、摘み凹部３１の三方周囲がコ字状の区画壁３３で囲まれている。
【００３８】
このように、区分壁６側の切欠２３に臨むよう摘み凹部３１が整理枠３側に設けられていると、人差し指の指先を摘み凹部３１にまで差し込めるので、ピンセット７の出し入れが容易に行える。さらに、摘み凹部３１の周囲がコ字状の区画壁３３で囲まれていると、整理枠３に収納した差込み式印字体Ｓの印字面に指先が触れるのを避けて、インクが指先に付着するのを防止できる。逃げ部３２は、蓋体２に設けたロック爪１２が周囲枠２６と接触干渉するのを防ぐために形成されている。
【００３９】
図６はピンセットの収納形態の別実施例を示す。そこでは、第２区画Ａ２の底壁の左右３個所に、ピンセット７の下面を受け止める突起３６を設けて、第２区画Ａ２に装填されるピンセット７をほぼ水平姿勢で収納できるようにした。このようにピンセット７をほぼ水平姿勢で収納すると、ピンセット７と蓋体２との間に余裕隙間を確保できるので、ピンセット７の大きさが若干異なるような場合でも、支障なく収納できる。
【００４０】
図示例の全容は以上のようになっているが、ロック爪１２は蓋体２と別部品にして蓋体２に後組みしてもよい。整理枠３は、ケース本体１の周側壁８側から第１区画Ａ１に差し込み装着することができる。ケース本体１の内部の左右いずれかの端部に、補充用のインク容器を収容するための第３区画を付加してもよい。
【図面の簡単な説明】
【００４１】
【図１】収納ケースの分解斜視図である。
【図２】収納ケースの内部平面図である。
【図３】図２におけるＢ−Ｂ線断面図である。
【図４】蓋体を分離した状態での図２のＣ−Ｃ線断面図である。
【図５】図２におけるＤ−Ｄ線断面図である。
【図６】ピンセットの別の収納形態を示す図５と同等の断面図である。
【符号の説明】
【００４２】
１  ケース本体
２  蓋体
３  整理枠
４  インク吸蔵マット
６  区分壁
１１  ロック係合部
１２  ロック爪
Ａ１  第１区画
Ａ２  第２区画
【図１】
2007015200.tif 000003
【図２】
2007015200.tif 000004
【図３】
2007015200.tif 000005
【図４】
2007015200.tif 000006
【図５】
2007015200.tif 000007
【図６】
2007015200.tif 000008